(57)【要約】【課題】  廃棄物の溶融処理を効率良く行わせて、溶融炉内におけるコークスの使用量を低減する。【解決手段】  コークスを用いた廃棄物の溶融処理を行う溶融炉（１）に装入される前の廃棄物に対して、選別処理（Ｓ１）、破砕処理（Ｓ２）および乾燥処理（Ｓ３）のうち少なくとも１つの処理を行う。少なくとも１つの処理により、含水率が５０重量％以下の廃棄物を選択し、選択された廃棄物を溶融炉に装入することができる。【選択図】  図２
2011027394.tif 000002
【特許請求の範囲】
【請求項１】
コークスを用いた廃棄物の溶融処理を行う溶融炉に装入される前の廃棄物に対して、選別処理、破砕処理および乾燥処理のうち少なくとも１つの処理を行うことを特徴とする廃棄物処理方法。
【請求項２】
前記少なくとも１つの処理を行うことにより、廃棄物種類組成のうち、含水率が５０重量％以下の廃棄物を選択し、選択された廃棄物を前記溶融炉に装入することを特徴とする請求項１に記載の廃棄物処理方法。
【請求項３】
前記少なくとも１つの処理を行うことにより、廃棄物全体の含水率を５〜４０重量％以下とし、該廃棄物を前記溶融炉に装入することを特徴とする請求項２に記載の廃棄物処理方法。
【請求項４】
前記溶融炉に装入される前の廃棄物に対して前記破砕処理を行い、
前記選別処理において、前記破砕処理によって得られた破砕物に対して篩い分けを行い、
前記篩い分けによって得られた篩上の破砕物を前記溶融炉に装入することを特徴とする請求項１から３のいずれか１つに記載の廃棄物処理方法。
【請求項５】
前記篩い分けによって得られた篩下の破砕物に対して生物処理を行うことにより、可燃性ガスを生成し、
前記可燃性ガスの少なくとも一部を燃焼させた際の熱エネルギを用いて、前記篩上の破砕物に対して前記乾燥処理を行い、
前記乾燥処理された破砕物を前記溶融炉内に装入することを特徴とする請求項４に記載の廃棄物処理方法。
【請求項６】
前記破砕処理によって得られた破砕物に対して、前記選別処理を行うことにより、粒径が５〜３００ｍｍの破砕物を選択し、選択された破砕物を前記溶融炉に装入することを特徴とする請求項１から５のいずれか１つに記載の廃棄物処理方法。
【請求項７】
コークスを用いて廃棄物の溶融処理を行う溶融炉と、
前記溶融炉に装入される前の廃棄物に対して、選別処理、破砕処理および乾燥処理のうち少なくとも１つの処理を行う処理装置と、
を有することを特徴とする廃棄物処理システム。
【請求項８】
前記処理装置は、廃棄物種類組成のうち、含水率が５０重量％以下の廃棄物を選択し、前記溶融炉へ装入することを特徴とする請求項７に記載の廃棄物処理システム。
【請求項９】
前記処理装置は、前記溶融炉に装入される廃棄物全体の含水率を５〜４０重量％以下の廃棄物とすることを特徴とする請求項８又は９に記載の廃棄物処理システム。
【請求項１０】
前記処理装置は、
前記溶融炉に装入される前の廃棄物に対して前記破砕処理を行い、
前記選別処理において、前記破砕処理によって得られた破砕物に対して篩い分けを行うことにより、前記溶融炉に装入される篩上の破砕物を選択することを特徴とする請求項７から９のいずれか１つに記載の廃棄物処理システム。
【請求項１１】
前記処理装置は、前記篩い分けによる篩下の破砕物に対して生物処理を行うことによって得られた可燃性ガスの少なくとも一部を燃焼させた際の熱エネルギを用いて、前記篩上の破砕物に対して前記乾燥処理を行うことを特徴とする請求項１０に記載の廃棄物処理システム。
【請求項１２】
前記処理装置は、前記破砕処理によって得られた破砕物に対して前記選別処理を行うことにより、前記溶融炉に装入される、粒径が５〜３００ｍｍの破砕物を選択することを特徴とする請求項７から１１のいずれか１つに記載の廃棄物処理システム。
【請求項１３】
前記溶融炉は、前記溶融炉の上下方向における複数の位置に設けられ、前記溶融炉内に酸素含有ガスを供給するための複数の羽口を有していることを特徴とする請求項７から１２のいずれか１つに記載の廃棄物処理システム。
【請求項１４】
前記複数の羽口のうち、最下段に配置された羽口から供給される酸素含有ガスにおける酸素濃度が２１〜５０体積％であることを特徴とする請求項１３に記載の廃棄物処理システム。
【発明の詳細な説明】
【技術分野】
【０００１】
本発明は、コークス等の塊状炭素系可燃物質を用いた廃棄物の溶融処理を行う溶融炉に装入される廃棄物に対して、特定の処理を行う廃棄物処理方法に関するものである。
【背景技術】
【０００２】
コークス等の塊状炭素系可燃物質を用いて廃棄物の溶融処理を行う廃棄物溶融炉では、コークスの使用量を低減させるための技術が提案されている。【０００３】
特許文献１に記載の技術では、コークスの代替物として、可燃性ダストを用いることにより、コークスの使用量を低減させている。しかも、可燃性ダストとともに、固形燃料やバイオマスといった可燃物を羽口から溶融炉内に供給することにより、可燃性ダストの量が変動しても、羽口前の燃焼量を確保してコークスの使用量を低減させるようにしている。【０００４】
特許文献２に記載の技術では、酸素および可燃性ダストを羽口から溶融炉内に供給することで、コークスの使用量を低減させている。しかも、羽口から供給される酸素量（Ａ）と理論酸素量（Ｂ）との比率（Ｂ／Ａ）が０．５〜１．０の範囲内になるように、可燃性ダストの吹き込み量に応じて、羽口における送風条件を変化させている。これにより、コークスの使用量を低減させるようにしている。ここで、理論酸素量（Ｂ）として、羽口に供給される可燃性ダストの量および組成と、コークスの量および組成とから求められる酸素量としている。【０００５】
特許文献３に記載の技術では、コークスの代わりに、バイオマス炭化物を用いることにより、コークスの使用量を低減させるとともに、化石燃料に起因した二酸化炭素の発生量を低減させるようにしている。
【先行技術文献】
【特許文献】
【０００６】
【特許文献１】特開２００６−２０７９１１号公報
【特許文献２】特開２００３−０５６８２０号公報
【特許文献３】特開２００７−０９３０６９号公報
【発明の概要】
【発明が解決しようとする課題】
【０００７】
本願発明は、溶融炉に装入される廃棄物に着目した技術であり、特許文献１〜３に記載の技術とは異なる観点から、コークスの使用量を低減させるものである。
【課題を解決するための手段】
【０００８】
本願第１の発明である廃棄物処理方法は、コークスを用いた廃棄物の溶融処理を行う溶融炉に装入される前の廃棄物に対して、選別処理、破砕処理および乾燥処理のうち少なくとも１つの処理を行うことを特徴とする。ここで、少なくとも１つの処理により、廃棄物種類組成のなかで、含水率が５０重量％以下の廃棄物を選択し、選択された廃棄物を溶融炉に装入することができる。廃棄物全体としての含水率を５〜４０重量％以下とすることができる。【０００９】
一方、選別処理において、破砕・乾燥処理によって得られた破砕物に対して篩い分けを行い、篩い分けによって得られた篩上の破砕物を溶融炉に装入することができる。特に、乾燥処理を行うことによって、廃棄物種類組成の中で、含水率が５０重量％以下の廃棄物を容易に選別することが可能となる。ここで、篩い分けによって得られた篩下の破砕物に対して生物処理を行うことにより、可燃性ガスを生成させ、可燃性ガスの少なくとも一部を燃焼させた際の熱エネルギを用いて、篩上の破砕物に対して乾燥処理を行い、乾燥処理された破砕物を溶融炉内に装入することができる。【００１０】
破砕処理によって得られた破砕物に対して、選別処理を行うことにより、粒径が５〜３００ｍｍの破砕物を選択し、選択された破砕物を溶融炉に装入することができる。【００１１】
本願第２の発明である廃棄物処理システムは、コークスを用いて廃棄物の溶融処理を行う溶融炉と、溶融炉に装入される前の廃棄物に対して、選別処理、破砕処理および乾燥処理のうち少なくとも１つの処理を行う処理装置と、を有することを特徴とする。【００１２】
ここで、処理装置は、廃棄物種類組成のうち、含水率が５０重量％以下の廃棄物を選択することができ、選択された廃棄物を溶融炉内に装入することができる。装入する廃棄物全体として、含水率が５〜４０重量％以下の廃棄物を選択することができる。【００１３】
処理装置は、溶融炉に装入される前の廃棄物に対して破砕・乾燥処理を行い、選別処理において、破砕処理によって得られた破砕物に対して篩い分けを行うことにより、篩上の破砕物を選択することができる。乾燥し、破砕することによって、廃棄物種類組成のうち、含水率が５０重量％以下の廃棄物を容易に選択することが可能となる。【００１４】
そして、篩上の破砕物を溶融炉内に装入することができる。また、処理装置は、篩い分けによる篩下の破砕物に対して生物処理を行うことによって得られた可燃性ガスの少なくとも一部を燃焼させた際の熱エネルギを用いて、篩上の破砕物に対して乾燥処理を行うことができる。【００１５】
処理装置は、破砕処理によって得られた破砕物に対して選別処理を行うことにより、粒径が５〜３００ｍｍの破砕物を選択することができる。そして、選択された破砕物を溶融炉内に装入することができる。【００１６】
溶融炉の上下方向における複数の位置に、溶融炉内に酸素含有ガスを供給するための複数の羽口を設けることができる。この場合において、複数の羽口のうち、最下段に配置された羽口から供給される酸素含有ガスにおける酸素濃度を２１〜５０体積％とすることができる。
【発明の効果】
【００１７】
本願発明によれば、溶融炉内に装入される前の廃棄物に対して、選別処理、破砕処理および乾燥処理のうち少なくとも１つの処理を行うことにより、溶融炉内におけるコークス等の塊状炭素系可燃物質を用いた廃棄物の溶融・処理を効率良く行い、コークス使用量を低減することができる。ここで、コークス等の塊状炭素系可燃物質を用いた廃棄物の処理には、廃棄物の乾燥処理、熱分解処理、燃焼処理および溶融処理が含まれる。
【図面の簡単な説明】
【００１８】
【図１】本発明の実施例１における廃棄物溶融設備の構成を示す概略図である。
【図２】実施例１において、廃棄物の前処理を示す概略図である。
【発明を実施するための形態】
【００１９】
以下、本発明の実施例について説明する。
【実施例１】
【００２０】
本発明の実施例１における廃棄物溶融設備について、図１を用いて説明する。【００２１】
廃棄物溶融炉１（以下、単に溶融炉という）の上部には、副資材であるコークスおよび石灰石とともに、廃棄物を装入するための装入口１１が設けられている。溶融炉１内では、廃棄物に対して、乾燥処理、熱分解処理、燃焼処理および溶融処理が行われる。ここで、溶融炉１内には、廃棄物充填層Ｌ１、乾留残渣層Ｌ２およびコークス充填層Ｌ３が存在している。【００２２】
廃棄物充填層Ｌ１は、廃棄物が充填されている層であり、廃棄物充填層Ｌ１では、廃棄物の乾燥処理および熱分解処理が行われ、廃棄物の熱分解処理によってガスが発生する。廃棄物の乾留が進むと、乾留された廃棄物によって乾留残渣層Ｌ２が構成される。【００２３】
コークス充填層Ｌ３は、コークスが充填された層であり、乾留残渣に対して溶融処理を行うことにより、スラグおよびメタルが生成される。生成されたスラグおよびメタルは、溶融炉１の炉底部から外部に排出される。【００２４】
なお、廃棄物に対する乾燥処理等は、溶融炉１内で連続的に行われており、上記各層Ｌ１〜Ｌ３の境界は、一義的に決定されるものではない。図１では、各層Ｌ１〜Ｌ３の位置関係を分かり易くするために境界を示している。【００２５】
溶融炉１には、溶融炉１内に酸素含有ガスを供給するための複数の羽口１２が設けられている。酸素含有ガスとしては、大気中に存在する空気や、酸素富化空気を用いることができる。酸素富化空気は、大気に存在する空気に含まれる酸素の割合（一般的には、２１％）よりも大きな割合の酸素を含む空気である。複数の羽口１２は、溶融炉１の上下方向における複数の位置に設けられている。【００２６】
ここで、羽口１２の数や、複数の羽口１２を設ける位置は、適宜設定することができる。また、１つの羽口１２を用いるだけでもよい。【００２７】
本実施例のように、複数の羽口１２から酸素含有ガスを溶融炉１内に供給することにより、溶融炉１内における燃焼反応を促進させることができる。そして、燃焼に伴って発生する熱エネルギを、廃棄物の乾燥処理および熱分解処理を行うための熱源として利用することができる。【００２８】
一方、複数の羽口１２のうち、最下段に配置された羽口１２から供給される酸素含有ガスの酸素濃度としては、２１〜５０体積％であることが好ましい。具体的には、最下段の羽口１２に供給される酸素含有ガスとして、空気に対して、酸素濃度が２１〜５０体積％となるように酸素を混合させることができる。このように酸素濃度を設定することにより、溶融炉１内の温度を、コークスが適切に燃焼することができる状態とすることができる。ここでいうコークスの適切な燃焼とは、コークスの過剰な燃焼や消費が行われないことを意味する。【００２９】
ここで、酸素含有ガスの酸素濃度が２１体積％よりも低いと、溶融炉１内の温度（特に、コークスが充填された炉底部の温度）が低下しすぎてしまうことがある。この場合には、溶融炉１内の温度を上昇させるためにコークスが使用されてしまい、コークスの使用量が増加してしまう。一方、酸素含有ガスの酸素濃度が５０体積％よりも高いと、溶融炉１内の温度（特に、コークスが充填された炉底部の温度）が過度に上昇してしまうことがある。この場合には、ソリューション・ロス反応（Ｃ＋ＣＯ２→２ＣＯ）が過度に進行してしまい、コークスの消費量が必要以上に増加してしまう。【００３０】
溶融炉１内で生成されたガスは、溶融炉１の上部から排出されて、ダスト捕集装置２に供給される。ダスト捕集装置２は、ガスに含まれる可燃性ダストを捕集する。ダスト捕集装置２を通過したガスは、燃焼室３において完全燃焼されることにより、燃焼排ガスとしてボイラ４に供給される。ボイラ４は、燃焼排ガスとの熱交換によって蒸気を発生させ、この蒸気は、蒸気タービン５に供給される。蒸気タービン５では、供給された蒸気を用いて動力を発生させることができる。なお、ダスト捕集装置２は、設置されない場合もある。【００３１】
ボイラ４で熱回収された後の燃焼排ガスは、集塵装置６に供給される。集塵装置６は、燃焼排ガスに含まれる塵等を、フィルタを用いて除去する。集塵装置６でフィルタ処理された燃焼排ガスは、煙突７から大気中に排出される。【００３２】
次に、溶融炉１に装入される廃棄物について、図２を用いて説明する。本実施例では、廃棄物を直接、溶融炉１に装入する前に、所定の前処理を行っている。【００３３】
廃棄物の前処理としては、選別処理Ｓ１、破砕処理Ｓ２および乾燥処理Ｓ３がある。ここで、前処理を行う前の廃棄物を「処理前廃棄物」といい、前処理を行った後の廃棄物を「処理後廃棄物」という。【００３４】
まず、選別処理Ｓ１について説明する。選別処理Ｓ１では、処理前廃棄物のうち、含水率が５０重量％以下の処理前廃棄物を選別する。ここで、選別処理Ｓ１では、処理後廃棄物に、含水率が５０重量％よりも高い廃棄物が含まれていないことが好ましいが、含まれていてもよい。すなわち、選別処理Ｓ１によって、含水率が５０重量％よりも高い廃棄物の少なくとも一部を、処理前廃棄物から取り除くことができればよい。なお、含水率が５０重量％よりも高い廃棄物としては、例えば、厨芥類（含水率が７０〜８０重量％）がある。【００３５】
選別処理Ｓ１は、作業者の手作業によって行うこともできるし、機械的に行うこともできる。手作業による選別処理Ｓ１としては、家庭等で行われるごみの分別作業が含まれる。また、機械的な選別処理Ｓ１としては、例えば、篩い分けを行うことができ、篩い分けを行う機器としては、例えば、トロンメルや振動篩い機を用いることができる。【００３６】
篩い分けでは、処理前廃棄物に対して上記機器を用いて篩い分けを行い、篩上の廃棄物を溶融炉１内に装入する。ここで、篩い分けを行う前に、処理前廃棄物を破砕・乾燥しておくこともできる。破砕・乾燥処理によって、処理前廃棄物の篩い分けを効率良く行うことができる。また、篩い目は、上述したように含水率が５０重量％よりも高い廃棄物を取り除く観点に基づいて、適宜設定することができる。【００３７】
篩い分けによって得られた篩下の廃棄物は、篩上の廃棄物と比べて、含水率が高いことが多い。例えば、動物性細塵では、含水率が４９．８％であり、植物性細塵では、含水率が３３．１％であることがある。また、破砕・乾燥処理を行うことで、含水率の高い厨芥類を篩下の廃棄物として選別しやすくすることもできる。【００３８】
処理前廃棄物から、篩下の廃棄物、言い換えれば、含水率の高い側の廃棄物を除去したうえで、溶融炉１に装入することにより、溶融炉１内の温度を低下させにくくすることができる。すなわち、廃棄物に含まれる水分を蒸発（乾燥）させるために用いられる熱エネルギを低減させることができ、溶融炉１内の温度が低下してしまうのを抑制することができる。【００３９】
含水率が５０重量％以下である廃棄物においては、水分が、廃棄物の内部に含まれているのではなく、廃棄物の表面に付着していることが多い。そして、廃棄物の表面に水分が付着している場合には、廃棄物の水分を容易に蒸発させることができる。このため、溶融炉１内の温度を上昇させるためのコークス使用量を減らして、コークスの使用量を低減することができる。【００４０】
ここで、溶融炉１に装入される廃棄物の含水率が低いほど、溶融炉１内における廃棄物の乾燥・乾留を効率良く行うことができる。【００４１】
一方、含水率が５０重量％よりも高い廃棄物は、生物処理を行うことにより、可燃性ガスを発生させることができる。生物処理としては、例えば、メタン発酵やエタノール発酵といった発酵処理がある。生物処理によって生成された可燃性ガスは、溶融炉１内にて用いることができる。【００４２】
具体的には、図１に示すダスト捕集装置２で捕集された可燃性ダストを、溶融炉１に取り付けられた羽口（不図示）から溶融炉１内に供給する構成において、可燃性ダストとともに、生物処理によって得られた可燃性ガス（少なくとも一部）を溶融炉１内に供給することができる。これにより、可燃性ダストの燃焼効率を向上させることができる。可燃性ダストの燃焼効率を向上させれば、可燃性ダストをコークスの代わりに用いることができ、溶融炉１内におけるコークスの使用量を低減することができる。【００４３】
また、可燃性ダストおよび酸素含有ガスを溶融炉１内に供給する構成において、生物処理によって得られた可燃性ガス（少なくとも一部）を燃焼させたときの熱エネルギを用いて、酸素含有ガスを予熱することができる。これにより、熱エネルギを効率良く利用して、溶融炉１内に到達する前に可燃性ダストの温度を上昇させておくことができる。可燃性ダストの温度を上昇させておけば、溶融炉１内において可燃性ダストの温度が着火温度に到達するまでの時間を短縮することができ、可燃性ダストの燃焼性を向上させることができる。これにより、コークスの代わりとして用いられる可燃性ダストの量を増加させることができるとともに、コークスの使用量を低減することができる。【００４４】
さらに、溶融炉１内に廃棄物とともにバイオマス炭化物を装入する構成において、生物処理によって得られた可燃性ガス（少なくとも一部）を燃焼させたときの熱エネルギを用いて、バイオマス炭化物を生成することができる。これにより、熱エネルギを効率良く利用して、バイオマス炭化物を生成することができる。【００４５】
ここで、バイオマスとは、すべての生物、すなわちエネルギ資源として再生可能な有機体をいい、例えば木材、パルプ廃液、紙、油が挙げられる。バイオマス炭化物を利用すれば、二酸化炭素を削減することができる。また、バイオマスとして下水汚泥、廃木材、食品廃棄物等を利用すれば、廃棄物のリサイクル利用として有効である。【００４６】
次に、破砕処理Ｓ２について説明する。【００４７】
破砕処理Ｓ２では、処理前廃棄物の少なくとも一部を破砕機によって破砕する。この破砕機としては、処理前廃棄物の種類に応じて、公知の装置を適宜、選択することができる。【００４８】
破砕処理Ｓ２によって破砕された処理後廃棄物（破砕物）を溶融炉１に装入することにより、破砕処理Ｓ２を行わない廃棄物を溶融炉１に装入する場合に比べて、溶融炉１内の高温ガスと破砕物との間における熱交換効率を向上させることができる。すなわち、溶融炉１内で発生した熱を用いて、破砕物の乾燥処理および乾留処理を効率良く行うことができる。そして、廃棄物の乾燥処理等を行う際の熱エネルギの低下を抑制することにより、溶融炉１内におけるコークスの使用量を低減することができる。また、破砕することによって、含水率が５０重量％以下の廃棄物の選別を容易にすることができる。【００４９】
破砕物の粒径は、５〜３００［ｍｍ］であることが好ましい。ここで、破砕処理Ｓ２によって得られた破砕物に対して、少なくとも１回の篩い分けを行うことにより、粒径が５〜３００［ｍｍ］の破砕物を得ることができる。【００５０】
破砕物の粒径が５［ｍｍ］よりも小さいと、溶融炉１内における廃棄物充填層Ｌ１（図１参照）の密度が高くなり、廃棄物充填層Ｌ１の通気性が悪化してしまう。これにより、溶融炉１内に酸素含有ガスを供給し難くなったり、酸素含有ガスを供給するための機器（ブロワ等）の設備能力を向上させたりしなければならなくなる。また、溶融炉１内の廃棄物充填層Ｌ１において、流動化現象が発生してしまい、コークスの代替物として溶融炉１内に供給された可燃性ダストが飛散してしまうおそれもある。この場合、コークス使用量の低減は困難となる。【００５１】
破砕物の粒径が３００［ｍｍ］よりも大きいと、廃棄物充填層Ｌ１において、廃棄物（破砕物）および高温ガスの間における熱交換が不十分となりやすい。熱交換が十分に行われないと、廃棄物が乾燥および乾留されないまま、溶融炉１の炉底部に配置されたコークス充填層に到達してしまうことがある。この場合には、廃棄物を乾燥・乾留させるために、コークスが余分に必要となってしまい、コークスの使用量が増加してしまう。【００５２】
ここで、溶融炉１内における廃棄物（破砕物）の処理を効率良く行う上では、破砕物の粒径を３０〜２００［ｍｍ］とすることが、より好ましい。【００５３】
次に、乾燥処理Ｓ３について説明する。【００５４】
乾燥処理Ｓ３では、処理前廃棄物の少なくとも一部を乾燥させる。乾燥処理Ｓ３では、乾燥機を用いて積極的に廃棄物を乾燥させたり、廃棄物を自然乾燥させたりすることができる。ここで、乾燥機を用いれば、溶融炉１における廃棄物の処理効率を向上させることができる。また、自然乾燥を行えば、乾燥処理を行うためのエネルギを削減することができる。さらに、乾燥・破砕することによって、含水率が５０重量％以下である廃棄物を容易に選別することができる。なお、乾燥機としては、処理前廃棄物の種類に応じて、公知の機器を適宜、選択することができる。【００５５】
乾燥処理Ｓ３では、処理後廃棄物の含水率が、処理前廃棄物の含水率よりも低ければよい。ここで、処理後廃棄物の含水率は、５〜４０重量％の範囲内であれば、より好ましい。【００５６】
処理後廃棄物の含水率を処理前廃棄物の含水率よりも低くすれば、溶融炉１内において、処理後廃棄物の乾燥処理等を行うための熱エネルギを低減することができ、コークスの使用量が増加してしまうのを抑制することができる。【００５７】
含水率が５重量％よりも低い廃棄物を得ようとすると、長時間において乾燥処理Ｓ３を行わなければならず、系全体の廃棄物の処理効率を向上させるうえで好ましくない。また、廃棄物の含水率が４０重量％よりも高い場合には、溶融炉１内において廃棄物の乾燥処理等を行うための熱エネルギが増加し、コークスの使用量を低減させにくくなる。【００５８】
乾燥処理Ｓ３においては、生物処理によって生成された可燃性ガス（少なくとも一部）を燃焼させたときの熱を用いることができる。例えば、選別処理Ｓ１又は破砕処理Ｓ２を行うことによって、含水率が５０重量％よりも高い廃棄物を取り除き、この廃棄物に対して生物処理を行うことができる。このように生物処理によって生成された可燃性ガスを用いることにより、乾燥処理Ｓ３の熱エネルギを発生させるための専用の燃料を用いる必要が無くなる。【００５９】
上述した選別処理Ｓ１、破砕処理Ｓ２および乾燥処理Ｓ３のうち、いずれか１つの処理を処理前廃棄物に対して行えばよい。ここで、複数の処理を組み合わせて行えば、各処理の相乗効果によって、溶融炉１内における廃棄物の処理を効率良く行い、コークス使用量を低減することができる。また、複数の処理を行う場合において、これらの処理の順序は、適宜設定することができる。【００６０】
また、溶融炉１に装入される廃棄物が、熱分解速度が高かったり、含水率が５０重量％以下であったりすれば、溶融炉１内における廃棄物の乾燥速度を早めたり、溶融炉１内における温度低下を抑制したりすることができる。これにより、コークスの使用量を低減することができる。この廃棄物としては、例えば、紙、プラスチック、草、木、竹といった繊維、金属、ガラス、陶磁器、ゴム、革、シュレッダーダストといったものがある。これらの廃棄物は、上述した選別処理Ｓ１、破砕処理Ｓ２および乾燥処理Ｓ３によって選別することができる。
【符号の説明】
【００６１】
１：溶融炉
１１：装入口
１２：羽口
２：ダスト捕集装置
３：燃焼室
４：ボイラ
５：蒸気タービン
６：集塵装置
７：煙突
Ｓ１：選別処理
Ｓ２：破砕処理
Ｓ３：乾燥処理
【図１】
2011027394.tif 000003
【図２】
2011027394.tif 000004
【国際調査報告】
2011027394.tif 000005
2011027394.tif 000006
2011027394.tif 000007
2011027394.tif 000008